(57)【要約】  【課題】  接合に関する生産システムの設計プロセスを明確にした、接合システムの設計方法を提供することにある。  【解決手段】  接合部に要求される性質を入力し、これに応じた接合種別を出力するステップと、前記接合種別と接合部の使用状況を入力し、これに応じた継ぎ手を出力するステップと、前記継ぎ手と接合部の状態を入力し、これに応じたｔ種類以上の接合方法を出力するステップと、前記接合方法と接合に係る条件を入力し、これに応じた接合手段を出力するステップと、前記接合手段と接合システムの規模を入力し、これに応じた接合システムを出力するステップと、前記接合システムの良否を判定するステップと、前記良否の判定が否の場合、前記接合種別と接合部の使用状況を入力し、これに応じた継ぎ手を出力するステップ以降のステップを良の判定が出るまで繰り返す。【選択図】  図３
2005084876.tif 000002
【特許請求の範囲】
【請求項１】
接合部に要求される性質を入力し、これに応じた接合種別を出力するステップと、前記接合種別と接合部の使用状況を入力し、これに応じた継ぎ手を出力するステップと、前記継ぎ手と接合部の状態を入力し、これに応じた１種類以上の接合方法を出力するステップと、前記接合方法と接合に係る条件を入力し、これに応じた接合手段を出力するステップと、前記接合手段と接合システムの規模を入力し、これに応じた接合システムを出力するステップを有する接合システムの設計方法。
【請求項２】
接合部に要求される性質を入力し、これに応じた接合種別を出力するステップと、前記接合種別と接合部の使用状況を入力し、これに応じた継ぎ手を出力するステップと、前記継ぎ手と接合部の状態を入力し、これに応じた１種類以上の接合方法を出力するステップと、前記接合方法と接合に係る条件を入力し、これに応じた接合手段を出力するステップと、前記接合手段と接合システムの規模を入力し、これに応じた接合システムを出力するステップと、前記接合システムの良否を判定するステップを有する接合システムの設計方法。
【請求項３】
接合部に要求される性質を入力し、これに応じた接合種別を出力するステップと、前記接合種別と接合部の使用状況を入力し、これに応じた継ぎ手を出力するステップと、前記継ぎ手と接合部の状態を入力し、これに応じた１種類以上の接合方法を出力するステップと、前記接合方法と接合に係る条件を入力し、これに応じた接合手段を出力するステップと、前記接合手段と接合システムの規模を入力し、これに応じた接合システムを出力するステップと、前記接合システムの良否を判定するステップと、前記良否の判定が否の場合、前記接合種別と接合部の使用状況を入力し、これに応じた継ぎ手を出力するステップ以降のステップを良の判定が出るまで繰り返す接合システムの設計方法。
【請求項４】
接合部に要求される性質として、強さ、外観、形、重さ、精度、導電性、防塵性、気密性、信頼性、生産性、コストの少なくとも一つを選択する請求項１から３のいずれかに記載の接合システムの設計方法。
【請求項５】
接合部の使用状況として、接合部への荷重のかかり方、使用条件、使用される業種の少なくとも一つを選択する請求項１から４のいずれかに記載の接合システムの設計方法。
【請求項６】
接合部の状態として、材質、表面の状態、板厚、施工姿勢の少なくとも一つを選択する請求項１から５のいずれかに記載の接合システムの設計方法。
【請求項７】
接合に係る条件として、設備、コスト、生産効率、接合対象の大きさ、品質、接合部の信頼性、接合技術の実績の少なくとも一つを選択する請求項１から６のいずれかに記載の接合システムの設計方法。
【請求項８】
接合システムの規模として、設置場所、コスト、生産効率、保守性、拡張性、構築期間、接合部の接合順序の少なくとも一つを選択する請求項１から７のいずれかに記載の接合システムの設計方法。
【発明の詳細な説明】
【技術分野】
【０００１】
本発明は、接合方法を決定し、生産システムを構築する接合システムの設計方法に関する。
【背景技術】
【０００２】
一般に接合を行なうための生産システムを設計する際には、接合部に要求される内容を分析し、分析した内容に適した接合方法を決定し、決定した接合方法を実現する為の設備を決定しシステム全体を構築していく。
【０００３】
この設計プロセスがスムーズに行なわれ、生産システムの設計、立ち上げがスムーズに行なわれるか否かは担当するシステム設計者の経験によるところが多い。（例えば特許文献１参照）
【特許文献１】特開２００３−１０８２１２号公報
【発明の開示】
【発明が解決しようとする課題】
【０００４】
そこで、本発明の目的は、接合に関する生産システムの設計プロセスを明確にした、接合システムの設計方法を提供することにある。
【課題を解決するための手段】
【０００５】
上記目的を達成するため、本発明の第１の方法においては、接合部に要求される性質を人力し、これに応じた接合種別を出力するステップと、前記接合種別と接合部の使用状況を入力し、これに応じた継ぎ手を出力するステップと、前記継ぎ手と接合部の状態を入力し、これに応じた１種類以上の接合方法を出力するステップと、前記接合方法と接合に係る条件を入力し、これに応じた接合手段を出力するステップと、前記接合手段と接合システムの規模を入力し、これに応じた接合システムを出力するステップを有する。
【０００６】
また本発明の第２の方法においては、接合部に要求される性質を入力し、これに応じた接合種別を出力するステップと、前記接合種別と接合部の使用状況を入力し、これに応じた継ぎ手を出力するステップと、前記継ぎ手と接合部の状態を入力し、これに応じた１種類以上の接合方法を出力するステップと、前記接合方法と接合に係る条件を入力し、これに応じた接合手段を出力するステップと、前記接合手段と接合システムの規模を入力し、これに応じた接合システムを出力するステップと、前記接合システムの良否を判定するステップを有する。
【０００７】
また本発明の第３の方法においては、接合部に要求される性質を入力し、これに応じた接合種別を出力するステップと、前記接合種別と接合部の使用状況を入力し、これに応じた継ぎ手を出力するステップと、前記継ぎ手と接合部の状態を入力し、これに応じた１種類以上の接合方法を出力するステップと、前記接合方法と接合に係る条件を入力し、これに応じた接合手段を出力するステップと、前記接合手段と接合システムの規模を入力し、これに応じた接合システムを出力するステップと、前記接合システムの良否を判定するステップと、前記良否の判定が否の場合、前記接合種別と接合部の使用状況を人力し、これに応じた継ぎ手を出力するステップ以降のステップを良の判定が出るまで繰り返す。
【０００８】
また本発明の第４の方法においては、接合部に要求される性質として、強さ、外観、形、重さ、精度、導電性、防塵性、気密性、信頼性、生産性、コストの少なくとも一つを選択する。
【０００９】
また本発明の第５の方法においては、接合部の使用状況として、接合部への荷重のかかり方、使用条件、使用される業種の少なくとも一つを選択する。
【００１０】
また本発明の第６の方法においては、接合部の状態として、材質、表面の状態、板厚、施工姿勢の少なくとも一つを選択する。
【００１１】
また本発明の第７の方法においては、接合に係る条件として、設備、コスト、生産効率、接合対象の大きさ、品質、接合部の信頼性、接合技術の実績の少なくとも一つを選択する。
【００１２】
また本発明の第８の方法においては、接合システムの規模として、設置場所、コスト、生産効率、保守性、拡張性、構築期間、接合部の接合順序の少なくとも一つを選択する。
【発明の効果】
【００１３】
本発明のシステムによれば、接合を行なうための生産システムを設計する際には、接合部に要求される内容を分析し、分析した内容に適した接合方法を決定し、決定した接合方法を実現する為の設備を決定しシステム全体を構築していく設計プロセスを明確にすることにより、生産システムの設計をスムーズに進めることができる。
【発明を実施するための最良の形態】
【００１４】
接合を行なうための生産システムを設計する際には、接合部に要求される内容を分析し、分析した内容に適した接合方法を決定し、決定した接合方法を実現する為の設備を決定しシステム全体を構築していく設計プロセスを明確にすることにより、生産システムの設計をスムーズに進めることができる接合システムの設計方法を提供することにある。
【００１５】
以下本発明の実施の形態について図面を参照しながら説明する。
【００１６】
図１は本発明の第１の設計方法について説明するフロー図である。図１においてＳ１は、接合部に要求される性質として、強さ、外観、形、重さ、精度、導電性、防塵性、気密性、信頼性、生産性、コストの少なくとも一つを入力として、接合種別を決定し出力する。
【００１７】
次にＳ２において、Ｓ１の出力である接合の種別と接合部の使用状況として、接合部への荷重のかかり方、環境温度や雰囲気などの使用条件、使用される業種の少なくとも一つを入力とし、接合部の継ぎ手形状を決定し出力する。
【００１８】
次にＳ３において、Ｓ２の出力である接合部の継ぎ手形状と、材質、表面の状態、板厚、施工姿勢などの接合部の状態の少なくとも一つを入力とし、適した接合方法を１種類以上出力する。
【００１９】
次にＳ４において、Ｓ３の出力である１種類以上の接合方法と、接合に係る条件として、設備、コスト、生産効率、接合対象の大きさ、品質、接合部の信頼性、接合技術の実績の少なくとも一つを入力とし、これに応じた接合手段を出力する。
【００２０】
次にＳ５において、Ｓ４の出力である接合手段と、接合システムの規模として、設置場所、コスト、生産効率、保守性、拡張性、構築期間、接合部の接合順序の少なくとも一つを入力し、最終的な接合システムの形態を決定する。
【００２１】
図２は本発明の第２の設計方法について説明するフロー図である。
【００２２】
Ｓ１からＳ５までの各ステップは図１と同一であり、その説明を省略する。
【００２３】
Ｓ６においてＳ５の出力である接合システムの形態とシステムの発注者および構築者の判断を入力として、構築したシステムを採用するかどうかを決定する。
【００２４】
図３は本発明の第３の設計方法について説明するフロー図である。
【００２５】
Ｓ１からＳ６までの各ステップは図１、図２と同一であり、その説明を省略する。
【００２６】
この第３の設計方法が、第２の設計方法と異なるのは、Ｓ６において構築したシステムの不採用が決定した場合、Ｓ２以降へ処理を移し、Ｓ６でシステムの採用が決定するまで以下の処理を繰り返すことである。
【産業上の利用可能性】
【００２７】
以上のように本発明の接合システムの設計方法によれば、生産システムの設計をスムーズに進めることができ、接合システムの設計に有用である。
【図面の簡単な説明】
【００２８】
【図１】本発明の第１の接合システムの設計方法を説明するフロー図
【図２】本発明の第２の接合システムの設計方法を説明するフロー図
【図３】本発明の第３の接合システムの設計方法を説明するフロー図
【図１】
2005084876.tif 000003
【図２】
2005084876.tif 000004
【図３】
2005084876.tif 000005